(57)【要約】【課題】ショックアブソーバ等に用いられる密封装置を固定するためのガイドにおいて、固定部材のフランジ部で金属環をカシメ固定したときに、ガイドの台座部の端面と当接する金属環を被覆している固定シール部のゴムのへたりを防止し、もってカシメ力の低下を防止するガイドを提供する。【解決手段】固定部材４の円筒部４ａに結合し、シール部材３と一体成形され金属環２の内側端面２ｃを被覆している固定シール部３６と当接している台座部５１を有し、台座部５１とカシメ固定するため円筒部４ａ端末を折り曲げ金属環２の外側端面２ｄを圧接しているフランジ部４ｂとで金属環２を軸方向に挟持固定する緩衝用ガイド５において、台座部５１の端面５４に突起５５を形成した。【選択図】図１
2006183735.tif 000002
【特許請求の範囲】
【請求項１】
固定部材と、該固定部材に設けられた軸孔内に同心的に嵌挿される可動部材と、で形成される環状隙間をシールする密封装置を固定するもので、
前記密封装置は金属環と前記可動部材に密接に摺動するシール部材とを備え、
前記固定部材の円筒部に結合し、前記シール部材と一体成形され前記金属環の一の面を被覆している固定シール部と当接している台座部を有し、カシメ固定するため前記円筒部端末を折り曲げ前記金属環の他の面を圧接しているフランジ部とで前記金属環を軸方向に挟持固定するガイドにおいて、
前記台座部の端面に突起を形成したことを特徴とするガイド。
【発明の詳細な説明】
【技術分野】
【０００１】
本発明は、例えばショックアブソーバに用いられる密封装置を固定するための固定構造に関する。
【背景技術】
【０００２】
従来、ショックアブソーバに使用される金属環とシール部材とを備えた密封装置の固定に関しては、例えば図６に示すような構造で固定されていた。すなわち、金属環１０２の一の端面１０２ａを被覆しているシール部材１０７と一体成形された固定シール部１０８と、固定部材１０４の円筒部１０４ａに結合しているガイド１０５の台座部１０６の端面１０６ａとを当接させ、カシメ固定するため円筒部１０４ａの端末を折り曲げ金属環１０２の他の面１０２ｂを圧接しているフランジ部１０４ｂとで金属環１０２を軸方向に挟持固定することで、密封装置１０１を固定していた。
【０００３】
しかし、ガイド１０５の台座部１０６の端面１０６ａは平面であるため、固定部材１０４の円筒部１０４ａの端部を折り曲げ金属環１０２の他の面を圧接してカシメ固定するとき、台座部１０６の端面１０６ａと当接している金属環の一の面を被覆しているゴム状弾性体である固定シール部１０８のゴムがへたり、カシメ力が低下する。その結果、金属環１０２の軸方向の固定が不安定となり、密封装置１０１のシール性の低下を招くとの問題点があった。
【０００４】
また、下記特許文献においては、金属環の角部の角を落とすとともに、固定部材のフランジ部は角を落とされた部分に沿って折り曲げることで応力を分散し、軸方向の荷重の大きさを安定し、密封性の向上を図ることが提案されているが、本発明の金属環とガイドとの当接面でゴムがへたることにより軸方向の固定が不安定になることの対応については、何ら開示されていなかった。
【０００５】
【特許文献１】実用新案登録第２５５５５９８号公報
【発明の開示】
【発明が解決しようとする課題】
【０００６】
本発明は以上の点に鑑みて、ショックアブソーバ等に用いられる密封装置を固定するためのガイドにおいて、固定部材のフランジ部で金属環をカシメ固定したときに、ガイドの台座部の端面と当接する金属環を被覆している固定シール部のゴムがへたることを防止し、もってカシメ力の低下を防止し、密封装置のシール性を維持することができるガイドを提供することを目的とする。
【課題を解決するための手段】
【０００７】
上記目的を達成するため、本発明の請求項１にかかるガイドは、固定部材と、該固定部材に設けられた軸孔内に同心的に嵌挿される可動部材と、で形成される環状隙間をシールする密封装置を固定するもので、前記密封装置は金属環と前記可動部材に密接に摺動するシール部材とを備え、前記固定部材の円筒部に結合し、前記シール部材と一体成形され前記金属環の一の面を被覆している固定シール部と当接している台座部を有し、カシメ固定するため前記円筒部端末を折り曲げ前記金属環の他の面を圧接しているフランジ部とで前記金属環を軸方向に挟持固定するガイドにおいて、前記台座部の端面に突起を形成したことを特徴とするものである。
【発明の効果】
【０００８】
本発明は、以下の効果を奏する。
【０００９】
すなわち、上記構成を備えた本発明のガイドは、シール部と一体成形され金属環の一の面を被覆している固定シール部と当接するガイドの台座部の端面に突起を形成したので、固定部材の円筒部をかしめたフランジ部とで金属環を軸方向に挟持固定しても、ゴム状弾性体である固定シール部のゴムがへたることがない。したがって、カシメ力の低下を防止することができ、密封装置のシール性を長期に亙って維持することができる。
【発明を実施するための最良の形態】
【００１０】
以下に図面を参照して、この発明の好適な実施の形態を例示して説明する。ただし、この発明の範囲は、特に限定的記載がないかぎりは、この実施の形態に記載されている内容に限定する趣旨のものではない。
【００１１】
図１は、ショックアブソーバに密封装置が装着された状態を示すものである。すなわち、本発明の実施例に係るガイドを含むハウジングに密封装置が装着されている状態の断面を示しており、以下のように構成されている。
【００１２】
密封装置１は、円盤状の金属環２と、金属環２に加硫接着されているゴム状弾性体からなるシール部材３とを備えている。密封装置１は、後述する固定部材であるハウジング４と可動部材である軸６とで形成する環状空間に同心的に装着されている。
【００１３】
ハウジング４は、円筒部４ａと、円筒部４ａの軸方向外側端部をカシメ固定するために内周側に折り曲げたフランジ部４ｂと、円筒部４ａの内周面に結合しているガイド５とからなる。ガイド５の内周には軸方向に貫通した軸孔７が形成されていて、軸孔７に軸６がハウジング４と同心で嵌挿されている。
【００１４】
ガイド５の外周側端部には軸方向外側に突出している台座部５１が設けられている。台座部の外周側側面は軸方向外側に向かって徐々に先細りとなるように傾斜するテーパー面５２となっており、テーパー面５２と円筒部４ａの内周面と後述する金属環２の軸方向内側端面２ｃとで断面三角形状の空間５３が形成されている。台座部５１の端面５４は後述する固定シール部３６と当接するようになっていて、端面５４には、突起５５が形成されている。
【００１５】
金属環２は、ハウジング４と軸６との間に同心的に配置され、外周部２ａが固定部材４ａの内周面に嵌合し、内周部２ｂに後述するシール部３１が加硫接着し、軸方向内側端面２ｃはシール部３１と一体で成形された固定シール部３６を介して台座部５１と当接し、軸方向外側端面２ｄはカシメ固定するために円筒部４ａを内周側に折り曲げたフランジ部４ｂに圧接されている。
【００１６】
シール部材３は、ゴム状弾性体で成形されていて、軸６の周面に摺動するシール部３１と、シール部３１と一体で成形された固定シール部３６と、固定シール部３６から延出し外周側に位置する外周シール部３７と、からなる。
【００１７】
シール部３１は、軸方向外側に延出し主に外部の異物が浸入するのをシールするダストシールリップ３２と、軸方向内側に延出し主に密封流体が外部に流出するのをシールするメインシールリップ３３とそれより軸方向内側に位置するサブシールリップ３４が一体で成形されており、メインシールリップ３３の外周側には軸方向に緊迫力を付与するガータスプリング３５が装着されている。
【００１８】
固定シール部３６は、シール部３１から外周側に延出し、金属環２の軸方向内側端面２ｃを薄肉状に被覆している。
【００１９】
外周シール部３７は、固定シール部３６と一体で金属環２の内側端面２ｃを被覆し、台座部５１の外周側に形成されている空間５３に圧入され、円筒部４ａとの密封性を確保している。
【００２０】
上記構成において、密封装置１の装着は、金属環２の内側端面２ｃを被覆している固定シール部３６を軸方向内側に向けて挿入し、固定シール部３６をガイド５の台座部５１の端面５４に当接させる。その後、カシメ固定するため円筒部４ａの端末を折り曲げたフランジ部４ｂで金属環２の外側端面２ｄを圧接し、台座部５１とで金属環２を軸方向に挟持固定する。
【００２１】
この場合において、固定シール部３６と当接している台座部５１の端面５４に形成されている突起５５が固定シール部３６にくい込むので、固定シール部５１がつぶされることがなくなり、経時変化によりゴム状弾性体の固定シール部のゴムがへたることを防止することが可能となる。また、突起５５が固定シール部３６にくい込みゴムを破断することにより、突起５５と固定シール部３６で覆われている金属環２とが金属接触するので、更に、固着力を安定させることが可能となる。
【００２２】
なお、台座部５１の端面５４に形成される突起５５は、図２、図３に示すように円周方向に形成してもよく、図４、図５に示すように径方向に形成してもよい。
【００２３】
また、円周方向に形成する場合においては、同心円状に形成してよく、螺旋状に連続的であっても良い。
【００２４】
更に、端面５４に形成される突起５５の替りとして、端面５４に梨地を形成してもよい。
【図面の簡単な説明】
【００２５】
【図１】本発明に係るガイドを含むハウジングに取付られている密封装置の装着状態を示す断面図
【図２】図１におけるガイドの要部断面図
【図３】図２におけるガイドの平面図
【図４】別の実施例におけるガイドの要部断面図
【図５】図４におけるガイドの平面図
【図６】従来例に係るガイドを含むハウジングに取付られている密封装置の装着状態を示す断面図
【符号の説明】
【００２６】
１  密封装置
２  金属環
２ａ  外周部
２ｂ  内周部
２ｃ，２ｄ  端面
３  シール部材
３１  シール部
３２，３３，３４  シールリップ
３５  ガータスプリング
３６  固定シール部
４  ハウジング（固定部材）
４ａ  円筒部
４ｂ  フランジ部
５  ガイド
５１  台座部
５２  テーパー面
５３  空間
５４  端面
５５  突起
６  軸（可動部材）
７  軸孔
【図１】
2006183735.tif 000003
【図２】
2006183735.tif 000004
【図３】
2006183735.tif 000005
【図４】
2006183735.tif 000006
【図５】
2006183735.tif 000007
【図６】
2006183735.tif 000008